(57)【要約】【課題】ラダーテープの上端部をダミーテープとしてヘッドボックス外面に容易に保持し、かつ美観の低下を防止し得る横型ブラインドを提供する。【解決手段】ラダーテープ２の上部を、吊下げコード１０を介してヘッドボックス１内のチルト装置８から吊下支持し、ラダーテープ２の上部とヘッドボックス１との間に、吊下げコード１０を隠す一対のダミーテープ１９を備えた横型ブラインドにおいて、一対のダミーテープ１９の上端をヘッドボックス１外面に一括して保持する保持手段１１を備えた。【選択図】図３
0003155993.tif 000002
【実用新案登録請求の範囲】
【請求項１】
ラダーテープの上部を、吊下げコードを介してヘッドボックス内のチルト装置から吊下支持し、前記ラダーテープの上部と前記ヘッドボックスとの間に、前記吊下げコードを隠す一対のダミーテープを備えた横型ブラインドにおいて、
前記一対のダミーテープの上端を前記ヘッドボックス外面に一括して保持する保持手段を備えたことを特徴とする横型ブラインド。
【請求項２】
前記保持手段は、前記ダミーテープの上端を取着可能としたテープフックを、前記ヘッドボックスの下面に弾性的に嵌着して構成したことを特徴とする請求項１記載の横型ブラインド。
【請求項３】
前記テープフックは、前記ヘッドボックスの外側面に嵌合する嵌合片を備え、該嵌合片に前記ダミーテープの上端を取着したことを特徴とする請求項２記載の横型ブラインド。
【請求項４】
前記テープフックは、前記ヘッドボックスの下面に弾性的に嵌合する係止片を備えたことを特徴とする請求項２又は３記載の横型ブラインド。
【請求項５】
前記保持手段は、前記一対のダミーテープを前記ヘッドボックスの下面に一括して接着する面ファスナーとしたことを特徴とする請求項１記載の横型ブラインド。
【考案の詳細な説明】
【技術分野】
【０００１】
この考案は、スラットをラダーテープで吊下支持する横型ブラインドに関するものである。
【背景技術】
【０００２】
多数段のスラットをラダーテープで支持する横型ブラインドの一種類として、ラダーテープの上端部近傍をチルト装置から吊下支持される吊下げコードに取着し、チルト装置の動作により吊下げコード及びラダーテープを介してスラットを回動するようにしたものがある。
【０００３】
このような横型ブラインドでは、吊下げコードの露出による美観の低下を防止するために、ラダーテープの上端部をダミーテープとしてヘッドボックスに取着して、吊下げコードの露出を防止している。
【０００４】
特許文献１には、ラダーテープの上端部をダミーテープとして一対のテープフックでヘッドボックスの底面に取着した横型ブラインドが開示されている。
【先行技術文献】
【特許文献】
【０００５】
【特許文献１】特開２００８−１０６５９４号
【考案の概要】
【考案が解決しようとする課題】
【０００６】
特許文献１に記載された横型ブラインドでは、ヘッドボックスが小型化すると、ダミーテープの上端をヘッドボックス内に保持するスペースを確保できないことがある。このような場合には、ダミーテープの上端をヘッドボックスの上方で連結してヘッドボックスに保持する構成も提案されているが、美観上好ましくない。
【０００７】
この考案の目的は、ラダーテープの上端部をダミーテープとしてヘッドボックス外面に容易に保持し、かつ美観の低下を防止し得る横型ブラインドを提供することにある。
【課題を解決するための手段】
【０００８】
請求項１では、ラダーテープの上部を、吊下げコードを介してヘッドボックス内のチルト装置から吊下支持し、前記ラダーテープの上部と前記ヘッドボックスとの間に、前記吊下げコードを隠す一対のダミーテープを備えた横型ブラインドにおいて、前記一対のダミーテープの上端を前記ヘッドボックス外面に一括して保持する保持手段を備えた。
【０００９】
請求項２では、前記保持手段は、前記ダミーテープの上端を取着可能としたテープフックを、前記ヘッドボックスの下面に弾性的に嵌着して構成した。
請求項３では、前記テープフックは、前記ヘッドボックスの外側面に嵌合する嵌合片を備え、該嵌合片に前記ダミーテープの上端を取着した。
【００１０】
請求項４では、前記テープフックは、前記ヘッドボックスの下面に弾性的に嵌合する係止片を備えた。
請求項５では、前記保持手段は、前記一対のダミーテープを前記ヘッドボックスの下面に一括して接着する面ファスナーとした。
【考案の効果】
【００１１】
本考案によれば、ラダーテープの上端部をダミーテープとしてヘッドボックス外面に容易に保持し、かつ美観の低下を防止し得る横型ブラインドを提供することができる。
【図面の簡単な説明】
【００１２】
【図１】横型ブラインドを示す正面図である。
【図２】横型ブラインドを示す側面図である。
【図３】ダミーテープ取付装置を示す側面図である。
【図４】ダミーテープ取付装置を示す正面図である。
【図５】テープフックを示す斜視図である。
【図６】ダミーテープ取付装置を示す分解斜視図である。
【図７】ダミーテープ取付装置の第二の実施形態を示す側面図である。
【考案を実施するための形態】
【００１３】
（第一の実施形態）
以下、この考案を具体化した第一の実施形態を図面に従って説明する。図１及び図２に示す横型ブラインドは、ヘッドボックス１から複数本のラダーテープ２を介して多数段のスラット３が吊下支持され、ラダーテープ２の下端にボトムレール４が取着されている。
【００１４】
前記ヘッドボックス１の少なくとも左右両端部から吊下支持されるラダーテープ２間において、図２に示すように、前記スラット３の幅方向中央部に昇降コード５が挿通され、その昇降コード５の下端に前記ボトムレール４が吊下支持されている。
【００１５】
前記ヘッドボックス１の一端には操作コード６が垂下され、その操作コード６の操作によりヘッドボックス１内の駆動軸７を回転操作可能となっている。そして、駆動軸７の回転操作により、チルト装置８及び前記ラダーテープ２を介して各スラット３を回動操作可能であるとともに、螺旋プーリー９に前記昇降コード５を巻取り、あるいは巻戻すことにより、ボトムレール４及びスラット３を昇降可能となっている。
【００１６】
図３に示すように、前記ラダーテープ２の上端部近傍には吊下げコード１０が取着され、その吊下げコード１０が前記チルト装置８に吊下支持されている。従って、前記チルト装置８の動作により吊下げコード１０及びラダーテープ２を介してスラット３が回動される。
【００１７】
前記ラダーテープ２の前記吊下げコード１０の取り付け位置より上方部分は、前記吊下げコード１０を室内外からの視界から遮って美観を向上させるためのダミーテープ１９として作用するように前記ヘッドボックス１にテープフック１１を介して取着される。
【００１８】
前記テープフック１１は合成樹脂で成形され、図５に示すように、連結部１２の両側に上方に延びる嵌合片１３が形成されている。前記嵌合片１３には、対向するように突出する係止部１４により横方向にＨ型となる取付孔１５がそれぞれ形成されている。
【００１９】
前記連結部１２は前記嵌合片１３より幅狭で嵌合片１３の一側部を連結するように形成され、各嵌合片１３の近傍で各嵌合片１３から等距離を隔てた位置に、上方へ断面楔状に突出する係止片１６が形成されている。
【００２０】
図６に示すように、前記ヘッドボックス１の底面において前記チルト装置８の取付位置には前記吊下げコード１０及び昇降コード５をヘッドボックス１内から下方へ案内するための案内孔１７がヘッドボックス１の前後方向に形成されている。
【００２１】
前記案内孔１７の前後両端部は、前記ヘッドボックス１の長手方向に拡幅されて、前記テープフック１１の係止片１６を挿入可能とした係止孔１８が形成され、その係止孔１８に前記係止片１６を挿入すると、係止孔１８の端縁に係止片１６が弾性的に係合して、テープフック１１がヘッドボックス１の下面に嵌着されるようになっている。このとき、テープフック１１の嵌合片１３は、ヘッドボックス１の外側面に嵌合するようになっている。
【００２２】
前記ダミーテープ１９の上端部は下方へ折り返され、その折り返し端が縫着されて袋状部２０が形成されている。そして、前記袋状部２０に前記取付孔１５の係止部１４を同袋状部２０の両側から挿入することにより、ダミーテープ１９の袋状部２０を取付孔１５に掛止め可能となっている。
【００２３】
従って、袋状部２０を取付孔１５に取着し、その状態でテープフック１１を前記案内孔１７に嵌着すると、図４に示すように、ダミーテープ１９の上端部がヘッドボックス１の側面下部に取着される。
【００２４】
上記のように構成された横型ブラインドでは、次に示す作用効果を得ることができる。（１）ダミーテープ１９で吊下げコード１０を覆って美観を向上させることができる。
（２）ダミーテープ１９の上端部をテープフック１１でヘッドボックス１の外側面下部に保持することができる。従って、ヘッドボックス１内にダミーテープ１９を保持するスペースを確保する必要がない。
（３）一対のダミーテープ１９を一つのテープフック１１でヘッドボックス１に一括して取着することができる。
（４）ダミーテープ１９の上端部を袋状部２０でテープフック１１に容易に取着することができる。
（５）テープフック１１をヘッドボックス１の下面に下方から容易に嵌着することができる。
（第二の実施形態）
図７は、第二の実施形態を示す。この実施形態は、一対のダミーテープ１９の上端部を一つの面ファスナー２１に縫着し、ヘッドボックス１の下面には面ファスナー２１を接着可能とした面ファスナー２２が取着されている。
【００２５】
そして、面ファスナー２１を面ファスナー２２に接着することによりダミーテープ１９がヘッドボックス１の下面に取着される。
このような構成により、次に示す作用効果を得ることができる。
（１）ダミーテープ１９で吊下げコード１０を覆って美観を向上させることができる。
（２）一つの面ファスナー２１で一対のダミーテープ１９をヘッドボックス１の下面に取着することができる。
（３）ヘッドボックス１内にダミーテープ１９を保持するためのスペースを確保する必要はない。
【００２６】
上記実施形態は、以下の態様で実施してもよい。
・第一の実施形態でテープフック１１をヘッドボックス１に取着する構成は、係止片１６と係止孔１８以外の構成としてもよい。
【符号の説明】
【００２７】
１…ヘッドボックス、２…ラダーテープ、３…スラット、８…チルト装置、１０…吊下げコード、１１…保持手段（テープフック）、１９…ダミーテープ、２１，２２…保持手段（面ファスナー）。
【図１】
0003155993.tif 000003
【図２】
0003155993.tif 000004
【図３】
0003155993.tif 000005
【図４】
0003155993.tif 000006
【図５】
0003155993.tif 000007
【図６】
0003155993.tif 000008
【図７】
0003155993.tif 000009